(57)【特許請求の範囲】
【請求項１】
亜鉛−臭素フロー電池の電極フローフレームとメンブレインフローフレームからなる単位セルを振動溶着してスタックを構成するためのレドックスフロー電池用スタック溶着装置であって、
少なくとも一つの単位セルを支持し、上下方向に移動可能に設置される下部ダイと、
前記下部ダイの上側にて、前記下部ダイが上昇することによって前記単位セルを加圧する上部ダイと、
前記上部ダイに振動を加えて前記単位セルを振動溶着させる振動源と、
を含み、
前記下部ダイおよび上部ダイにおける相互に対応するベースには、複数個に分割されてそのベースに固定される分割板が設置され、
少なくとも一つの分割板と前記ベースとの間には、前記単位セルの厚さの偏差を調節するための厚さ調節薄板が設置され、
前記下部ダイの分割板上には複数枚の前記単位セルが積層され、
前記下部ダイおよび上部ダイのうちの少なくともいずれか一つには、隅角の側の分割板に前記単位セルを固定するための固定ピンが、上下方向に往復移動可能に設置されることを特徴とする、レドックスフロー電池用スタック溶着装置。
【請求項２】
前記厚さ調節薄板は、アルミニウム薄板からなることを特徴とする、請求項１に記載のレドックスフロー電池用スタック溶着装置。
【請求項３】
前記固定ピンは、前記下部ダイの隅角の側の分割板に、作動シリンダーにより上下方向に往復移動可能に設置され、前記単位セルを貫通することを特徴とする、請求項１に記載のレドックスフロー電池用スタック溶着装置。
【請求項４】
前記単位セルにおける隅角の部分に対応して、前記下部ダイの前記ベースには、前記単位セルを整列させるガイド部材が設置されることを特徴とする、請求項１に記載のレドックスフロー電池用スタック溶着装置。
【請求項５】
前記ガイド部材が、前記単位セルにおける隅角同士の間の部分に対応して前記ベースに設置され、前記単位セルを整列させることを特徴とする、請求項４に記載のレドックスフロー電池用スタック溶着装置。
【請求項６】
前記ガイド部材は、ブロックの形態をなし、複数個が、前記単位セルの高さに応じて、上側方向に積み上げられて、相互に締結されることを特徴とする、請求項４または５に記載のレドックスフロー電池用スタック溶着装置。
【請求項７】
前記分割板の表面には、前記単位セルを固定するためのナーリング部が形成されることを特徴とする、請求項１に記載のレドックスフロー電池用スタック溶着装置。
【発明の詳細な説明】
【技術分野】
【０００１】
（関連出願の相互参照）
本出願は、２０１４年７月２９日付韓国特許出願第１０−２０１４−００９６５０７号に基づいた優先権の利益を主張し、当該韓国特許出願の文献に開示されたすべての内容は本明細書の一部として組み込まれる。
【０００２】
本発明の実施例は、レドックスフロー電池用スタック製造システムに関し、より詳細には、単位セルのアラインメント（整列性）を改善した亜鉛−臭素フロー電池用スタック溶着装置に関する。
【背景技術】
【０００３】
最近、地球温暖化の主要原因である温室ガス排出を抑制するための方法として太陽光エネルギーや風力エネルギーといった再生可能エネルギーが脚光を浴びており、これらの実用化・普及のために、多くの研究が行われている。
【０００４】
しかし、再生可能エネルギーは、立地環境や自然条件により大きく影響を受ける。さらに、再生可能エネルギーは、出力変動が激しいため、エネルギーを連続的に均一に供給できないという短所がある。
【０００５】
したがって、再生可能エネルギーを家庭用や商業用として使用するためには、出力が高い時にはエネルギーを貯蔵し、出力が低い時には貯蔵されたエネルギーを使用することができるシステムを導入して使用している。
【０００６】
このようなエネルギー貯蔵システム（ＥＳＳ:Ｅｎｅｒｇｙ  Ｓｔｏｒａｇｅ  Ｓｙｓｔｅｍ）としては、大容量二次電池が使用されるが、一例として、大規模の太陽光発電団地および風力発電団地には、大容量の二次電池貯蔵システムが導入されている。前記の大容量の電力貯蔵のための二次電池としては、鉛蓄電池、ＮａＳ電池そしてレドックスフロー電池（ＲＦＢ、ｒｅｄｏｘ  ｆｌｏｗ  ｂａｔｔｅｒｙ）等がある。
【０００７】
前記鉛蓄電池は、他の電池に比べて商業的に幅広く使用されているが、低い効率、および周期的な交換による維持補修の費用、並びに電池交換時に発生する産業廃棄物の処理の問題などの短所がある。ＮａＳ電池の場合、エネルギー効率が高いのが長所であるが、３００℃以上の高温で作動するという短所がある。
【０００８】
レドックスフロー電池は、維持補修の費用が少なく、常温で作動可能であり、容量と出力をそれぞれ独立に設計できるという特徴があるため、最近、大容量二次電池として多くの研究が行われている。
【０００９】
レドックスフロー電池は、燃料電池と同様に、メンブレイン、電極およびバイポーラプレート（Ｂｉｐｏｌａｒ  ｐｌａｔｅ；双極板）が、直列（Ｓｅｒｉｅｓ）に配置されてスタック（Ｓｔａｃｋ）を構成することによって、電気エネルギーの充放電が可能な二次電池（Ｓｅｃｏｎｄａｒｙ  ｂａｔｔｅｒｙ）の機能を有する。
【００１０】
レドックスフロー電池は、メンブレインの両側に、正極および負極の電解液貯蔵タンクから供給された正極電解液（Ｅｌｅｃｔｒｏｌｙｔｅ）および負極電解液が循環することで、イオン交換が行われ、この過程で電子の移動が発生して充放電が行われる。
【００１１】
このようなレドックスフロー電池は、既存の二次電池に比べて寿命が長く、ｋＷ〜ＭＷ級の中大型システムとして製作することが可能であるため、エネルギー貯蔵システム（ＥＳＳ）に最も適したものとして知られている。
【００１２】
一方、レドックスフロー電池としては、亜鉛−臭素（Ｚｉｎｃ−Ｂｒｏｍｉｎｅ）フロー電池を例に挙げることができるが、電極フローフレーム（ｅｌｅｃｔｒｏｄｅ  ｆｌｏｗ  ｆｒａｍｅ）とメンブレインフローフレーム（ｍｅｍｂｒａｎｅ  ｆｌｏｗ  ｆｒａｍｅ）で単位セルをなすように構成され、このような単位セルが、複数枚積層されてスタックとして構成され得る。
【００１３】
ここで、前記電極フローフレームとメンブレインフローフレームとの間には、スペーサが位置し、電解液が流れることとなり、その電解液が流れ得る注入口は全部で４ヶ所であり、流路チャンネルに沿って電解液が上から下へ、下から上へ流れ得る。
【００１４】
前記のような電極フローフレームとメンブレインフローフレームの単位セルは、振動溶着（Ｖｉｂｒａｔｉｏｎ  Ｗｅｌｄｉｎｇ）方式で互いに溶着され、スタックとして構成され得るのであるが、このために、電極フローフレームとメンブレインフローフレームには、反応領域の外側に溶着層を形成している。
【００１５】
例えば、前記振動溶着方式を利用してフロー電池のスタックを構成する振動溶着設備としては、上部ジグと、その上部ジグに対して昇降可能に設置される下部ジグと、これらのジグに振動を印加する振動源とを備えている。
【００１６】
したがって、前記フロー電池用振動溶着設備は、下部ジグに単位セルをローディングし、下部ジグが上昇することによって上部ジグを通じて単位セルを加圧し、振動源で発生する振動を上部ジグに提供するようになると、電極フローフレームとメンブレインフローフレームの溶着層が溶着されて接合されることによって単位セルを振動溶着することができる。
【００１７】
そして、他の単位セルを振動溶着された単位セルに積層し、このような方式で単位セルを振動溶着することによって複数枚の単位セルが振動溶着されたスタックを製造することができる。
【００１８】
このようなフロー電池の振動溶着方式は、単位セルの配列を均一にして内部圧力を増加させ、流体の流れ性を均一にし、漏水の危険を減少させるのが重要であるが、これは電池の充放電効率と直接的な関係があるためである。
【００１９】
しかし、従来技術では、亜鉛−臭素フロー電池の製作時に使用される振動溶着設備のスタック整列技術および単位セルの固定技術などに対する研究が不充分であるのが実情である。
【００２０】
この背景技術の部分に記載された事項は、発明の背景に対する理解を増進させるために作成されたものであり、当該技術が属する分野における通常の知識を有する者にすでに知られた従来の技術でない事項を含むことができる。
【発明の概要】
【発明が解決しようとする課題】
【００２１】
本発明の実施例は、単位セルの厚さ偏差を減少させることができ、単位セルの固定および整列度を向上させることができるようにしたレドックスフロー電池用スタック溶着装置を提供することに目的がある。
【課題を解決するための手段】
【００２２】
本発明の実施例によるレドックスフロー電池用スタック溶着装置は、亜鉛−臭素フロー電池の、電極フローフレームとメンブレインフローフレームからなる単位セル同士を振動溶着して、スタックを構成するためのものであって、ｉ）少なくとも一つの単位セルを支持し、上下方向に移動可能に設置される下部ダイと、ｉｉ）前記下部ダイの上側にて、前記下部ダイが上昇することによって前記単位セルを加圧する上部ダイと、ｉｉｉ）前記上部ダイに振動を加えて前記単位セルを振動溶着させる振動源と、を含み、前記下部ダイおよび上部ダイにおける相互に対応するベースには、複数個に分割されてそのベースに固定される分割板が設置され、少なくとも一つの分割板と前記ベースとの間には、前記単位セルの厚さの偏差を調節するための厚さ調節薄板が設置され得る。
【００２３】
また、本発明の実施例による前記レドックスフロー電池用スタック溶着装置において、前記厚さ調節薄板は、アルミニウム薄板からなることができる。
【００２４】
また、本発明の実施例による前記レドックスフロー電池用スタック溶着装置において、前記下部ダイの分割板上には複数枚の前記単位セルが積層され得る。
【００２５】
また、本発明の実施例による前記レドックスフロー電池用スタック溶着装置において、前記下部ダイおよび上部ダイのうちの少なくともいずれか一つには、隅角の側の分割板に前記単位セルを固定するための固定ピンが、上下方向に往復移動可能に設置され得る。
【００２６】
また、本発明の実施例による前記レドックスフロー電池用スタック溶着装置において、前記固定ピンは、前記下部ダイの隅角の側の分割板に、作動シリンダーにより上下方向に往復移動可能に設置され、前記単位セルを貫通することができる。
【００２７】
また、本発明の実施例による前記レドックスフロー電池用スタック溶着装置において、前記単位セルにおける隅角の部分に対応して、前記下部ダイの前記ベースには、前記単位セルを整列させるガイド部材が設置され得る。
【００２８】
また、本発明の実施例による前記レドックスフロー電池用スタック溶着装置において、前記ガイド部材が、前記単位セルにおける隅角同士の間の部分に対応して前記ベースに設置され、前記単位セルを整列することができる。
【００２９】
また、本発明の実施例による前記レドックスフロー電池用スタック溶着装置において、前記ガイド部材は、ブロックの形態に形成され、複数個が、前記単位セルの高さに応じて上側方向に積み上げられて、相互に締結され得る。
【００３０】
また、本発明の実施例による前記レドックスフロー電池用スタック溶着装置において、前記分割板の表面には、前記単位セルを固定するためのナーリング部が形成され得る。
【発明の効果】
【００３１】
本発明の実施例は、振動溶着による単位セルの固定および整列度を向上させることによって単位セルの内部圧力を増加させ、流体の流れ性を均一にし、漏水の危険を減少させることによって電流効率、電圧効率およびエネルギー効率の面で全体的なスタックの充放電効率を向上させることができる。
【図面の簡単な説明】
【００３２】
【図１】本発明の実施例によるレドックスフロー電池用スタック溶着装置を概略的に示した図面である。
【図２】本発明の実施例によるレドックスフロー電池用スタック溶着装置に適用される、上部ダイおよび下部ダイにおける分割板の構造を示した斜視図である。
【図３】本発明の実施例によるレドックスフロー電池用スタック溶着装置に適用される固定ピンの部位を示した斜視図である。
【図４】本発明の実施例によるレドックスフロー電池用スタック溶着装置に適用されるガイド部材を示した斜視図である。
【図５】本発明の実施例によるレドックスフロー電池用スタック溶着装置の作用効果を説明するためのグラフである。
【発明を実施するための形態】
【００３３】
この図面は、本発明の例示的な実施例を説明する際に参照するためのものであり、本発明の技術的な思想を図面に限定して解釈してはならない。
【００３４】
以下、添付した図面を参照して本発明の実施例について本発明が属する技術分野における通常の知識を有する者が容易に実施できるように詳細に説明する。しかし、本発明は、多様な異なる形態にて実現することができ、ここで説明する実施例に限定されない。
【００３５】
本発明を明確に説明するために、説明上不要な部分は省略し、明細書全体にわたって同一または類似の構成要素については同一の参照符号を付した。
【００３６】
図面に示された各構成の大きさおよび厚さは、説明の便宜のために任意に表示したため、本発明が必ずしも図面に示されたものに限定されるのではなく、多くの部分および領域を明確に表現するために厚さを拡大して表示した。
【００３７】
そして、下記の詳細な説明で、構成の名称を第１、第２などに区分したのは、その構成が同一であることから、これらを区分するためであり、下記の説明で必ずしもその順序に限定されるのではない。
【００３８】
明細書全体で、ある部分がある構成要素を「含む」とするとき、これは、特に反する記載がない限り、他の構成要素を除くのではなく、他の構成要素をさらに含むことができることを意味する。
【００３９】
また、明細書に記載された「…ユニット」、「…手段」、「…部」、「…部材」などの用語は、少なくとも一つの機能や動作を行う包括的な構成の単位を意味する。
【００４０】
図１は、本発明の実施例によるレドックスフロー電池用スタック溶着装置を概略的に示した図面である。
【００４１】
図１を参照すると、本発明の実施例によるレドックスフロー電池用スタック溶着装置１００は、フロー電池としての単位セル１同士を振動溶着してスタック３を構成する亜鉛−臭素フロー電池用のスタック製造システムに適用され得る。
【００４２】
例えば、レドックスフロー電池は、正極電解液および負極電解液によっては亜鉛−臭素フロー電池を含むことができるが、亜鉛−臭素フロー電池は、電極フローフレームとメンブレインフローフレームからなる単位セル１を含み、複数枚の単位セル１を連続的に配列して、電気発生集合体であるスタック３として構成され得る。
【００４３】
ここで、電極フローフレームとメンブレインフローフレームの単位セル１は、振動溶着方式により相互溶着されることで、複数枚が積層されたスタックに構成されるが、そのために、電極フローフレームとメンブレインフローフレームには、反応領域の外側に溶着層を形成している。
【００４４】
このような亜鉛−臭素フロー電池は、当業界で広く知られた公知技術のレドックスフロー電池の構成からなるため、本明細書において、その構成についての、より詳細な説明は省略する。
【００４５】
本発明の実施例による前記レドックスフロー電池用スタック溶着装置１００は、単位セル１に振動を加えて、電極フローフレームとメンブレインフローフレームの溶着層を溶融させることで接合する例を説明する。
【００４６】
しかし、本発明の保護範囲が、必ずこれに限定されるものと理解されてはならず、所定の母材プレートを振動で溶着可能な多様な種類および用途の振動溶着設備であれば本発明の技術的な思想が適用可能である。
【００４７】
本発明の実施例による前記レドックスフロー電池用スタック溶着装置１００は、振動溶着による単位セル１の固定および整列の度合いを向上させることによって、単位セル１の内部圧力を増加させ、流体の流れ性を均一にし、漏水の危険を減少させることができる構造からなる。
【００４８】
そのために、本発明の実施例による前記レドックスフロー電池用スタック溶着装置１００は、基本的に、下部ダイ１０、上部ダイ４０および振動源７０を含んでいる。
【００４９】
本発明の実施例で、前記下部ダイ１０は、少なくとも一つの単位セル１を支持するものであって、フレーム１１に固定されるように設置される。前記下部ダイ１０のフレーム１１は、スライディング駆動装置（図示せず）により、後述する上部ダイ４０に対して上下方向に昇降可能に構成され得る。
【００５０】
前記上部ダイ４０は、下部ダイ１０上の単位セル１を加圧するものであって、下部ダイ１０の上側でフレーム４１に固定されるようにして配置される。前記上部ダイ４０は、下部ダイ１０が上昇することによって、その下部ダイ１０上の単位セル１を加圧することができる。
【００５１】
ここで、前記フレーム１１、４１は、下部ダイ１０および上部ダイ４０をそれぞれ支持するためのブラケット、バー、ロッド、プレート、レール、ハウジング、隔壁、ケース、ブロック、カラーなどといった各種の付属要素を含んでいる。
【００５２】
しかし、前記付属要素は、下部ダイ１０および上部ダイ４０並びに周辺設備などを設置するためのものであるため、本発明の実施例では、例外的な場合を除き、前記付属要素をフレーム１１、４１と通称する。
【００５３】
そして、前記振動源７０は、下部のダイ１０が上昇するにしたがって上部のダイ４０により、その下部のダイ１０上の単位セル１を加圧した状態で、上部のダイ４０に振動を加えるものであって、通常の構造のバイブレーション装置からなるため、本明細書において、その構成についての、より詳細な説明は省略する。
【００５４】
したがって、前記のような本発明の実施例によるレドックスフロー電池用スタック溶着装置１００は、下部のダイ１０に単位セル１をローディングし、下部のダイ１０が上昇することによって、その下部のダイ１０上の単位セル１を、上部のダイ４０により加圧した状態で、振動源７０を通じて上部ダイ４０に振動を提供するようにすると、電極フローフレームとメンブレインフローフレームの溶着層が溶着されて相互に接合されることによって、単位セル１を振動溶着することができる。
【００５５】
そして、前記スタック溶着装置１００は、他の単位セル１を、振動溶着された単位セル１に積層し、その単位セル１を振動溶着することによって、複数枚の単位セル１が振動溶着されたスタックをなすように製造することができる。
【００５６】
一方、本発明の実施例において、前記下部ダイ１０および上部ダイ４０における相互に対応する対応面には、プレート形状のベース１３、４３が設置されるが、そのベース１３、４３には、複数個に分割された分割板１５、４５が設置される。
【００５７】
前記分割板１５、４５は、単位セル１を平面的に支持するものであって、ボルトなどといった締結手段（図示せず）により、下部ダイ１０および上部ダイ４０のベース１３、４３に固定されるように結合され得る。
【００５８】
ここで、前記分割板１５、４５における単位セル１を支持する表面には、下部ダイ１０の上昇による上部ダイ４０の加圧時、これらのダイ１０、４０の間で加圧される単位セル１が遊動することを防止するためのナーリング部１６、４６が形成されている。前記ナーリング部１６、４６は、通常のナーリング加工（ローレット加工）により、分割板１５、４５の表面に形成され得る。
【００５９】
そして、本発明の実施例では、図１および図２に示すように、一つまたは多数の分割板１５、４５とベース１３、４３との間に、単位セル１の厚さの偏差を調節するための厚さ調節薄板１７、４７が設置され得る。
【００６０】
前記厚さ調節薄板１７、４７は、単位セル１における上下および左右での厚さの偏差を調節するために、前記分割板１５、４５とベース１３、４３との間に介在しうる。
【００６１】
このような厚さ調節薄板１７、４７は、例えば、アルミニウム素材の薄板からなることができる。前記厚さ調節薄板１７、４７は、分割板１５、４５とベース１３、４３との間に介在し、前述したような締結手段を通じて固定されるのであり得る。
【００６２】
また、図１および図３を参照すると、本発明の実施例では、下部ダイ１０の上昇による上部ダイ４０の加圧時に、単位セル１を固定するための固定ピン２０をさらに含んでいる。
【００６３】
前記固定ピン２０は、下部ダイ１０および上部ダイ４０のうちの、いずれか一つに構成されるが、例えば、下部ダイ１０のベース１３の隅角の側に対応する分割板１５に、それぞれ設置され得る。
【００６４】
前記固定ピン２０は、ベース１３の隅角の側にて、上下方向に往復移動可能に設置されるが、下部ダイ１０に固定されるように設置された作動シリンダー２１により、上下方向に往復移動可能に設置され得る。
【００６５】
前記作動シリンダー２１は、油圧または空圧により作動し、固定ピン２０を上下方向に前進および後進移動させることができる。
【００６６】
ここで、前記固定ピン２０は、下部ダイ１０に積層された単位セル１の高さに応じて、作動シリンダー２１により上側方向へ移動することで単位セル１を固定するのであるが、これら単位セル１を貫通することで固定することができる。
【００６７】
代案として、本発明の実施例では図示していないが、前記のような下部ダイ１０の固定ピン２０を設置すると共に、上部ダイ４０におけるベース４３の隅角の側に対応する分割板４５に固定ピン２０を設置することもできる。
【００６８】
これは、前記下部ダイの固定ピン２０についての設定された上側移動長さよりも高い高さで、単位セル１が積層された場合、その高さの差に該当する長さだけ、前記上部ダイ４０の固定ピン２０を下側方向へ移動させることで単位セル１を固定するためである。
【００６９】
なお、図１および図４を参照すると、本発明の実施例では、前記下部ダイ１０に設置され、単位セル１の積層配列を整列させるガイド部材６０をさらに含んでいる。
【００７０】
前記ガイド部材６０は、下部ダイ１０に単位セル１を積層し、その下部ダイ１０を上昇させることによって上部ダイ４０により、これら単位セル１を加圧する際、これらの単位セル１を均一に整列するためのものである。
【００７１】
このようなガイド部材６０は、これら単位セル１の隅角の部分に対応して、下部ダイ１０のベース１３に設置されるのであるが、そのベース１３の隅角の部分に設置され得る。
【００７２】
前記ガイド部材６０は、ブロックの形態をなし、複数個が、単位セル１の積層高さに応じて上側方向に積み上げられて相互に締結され得る。
【００７３】
つまり、これらの前記ガイド部材６０は、単位セル１同士が積層される高さに応じて、ベース１３の上面から順次に配置され、ボルトといった締結手段により相互に締結され得る。
【００７４】
なお、本発明の実施例による前記ガイド部材６０は、ベース１３の隅角の部分の側に設置されると共に、図面に示すように、単位セル１におけるそれぞれの隅角の間の中間の部分に対応して前記ベース１３に設置されることもできる。
【００７５】
以下、前記のように構成される、本発明の実施例によるレドックスフロー電池用スタック溶着装置１００の作用について、前記に開示した図面を参照して詳細に説明する。
【００７６】
まず、本発明の実施例では、下部ダイ１０に単位セル１をローディングし、その下部ダイ１０を上昇させることによって上部ダイ４０により前記単位セル１を加圧する。
【００７７】
この状態で、振動源７０により、上部ダイ４０に振動を加えるようになると、本発明の実施例では、単位セル１の電極フローフレームとメンブレインフローフレームの溶着層が、溶着されて相互に接合されることによって、その単位セル１の振動溶着を行うことができる。
【００７８】
そして、本発明の実施例では、振動溶着された単位セル１の上に、他の単位セル１を積層し、その単位セル１を前記のような方式で振動溶着することによって、複数枚の単位セル１が振動溶着されたスタックを製造することができる。
【００７９】
ここで、本発明の実施例では、下部ダイ１０および上部ダイ４０における単位セル１を支持する部分が分割板１５、４５からなり、その分割板１５、４５の表面にナーリング部１６、４６を形成している。そのため、下部ダイ１０の上昇によって上部ダイ４０に加圧する際、その上部ダイ４０により加圧される単位セル１が遊動することを防止することができる。
【００８０】
また、本発明の実施例では、分割板１５、４５とベース１３、４３との間に、厚さ調節薄板１７、４７を介在させることによって、厚さ調節薄板１７、４７により、これら単位セル１の上下および左右での厚さの偏差を調節することができる。
【００８１】
このような過程にて、本発明の実施例では、下部ダイ１０が上昇することによって上部ダイ４０によりその下部ダイ１０上の複数の単位セル１を加圧する際、作動シリンダー２１により固定ピン２０を移動させることによって、これら単位セル１を固定することができる。
【００８２】
この際、前記固定ピン２０は、複数の単位セル１を積層する高さに応じて、作動シリンダー２１により前進移動し、これら単位セル１を貫通してこれらの単位セル１を固定することができる。
【００８３】
そして、本発明の実施例では、ガイド部材６０により、単位セル１の積層配列を均一に整列することができるのであるが、単位セル１の積層高さに応じてガイド部材６０を上側方向に積み上げて締結する方式で単位セル１の整列を実現することができる。
【００８４】
したがって、以上で説明したように本発明の実施例では、単位セル１の積層による位置別の厚さ偏差を減少させることができるのであるが、図５のグラフに示すように、本発明の実施例について、単位セル整列構造を採用していない比較例と比較しみると、単位セルのフローフレーム２枚を基準に、比較例の場合、厚さの偏差が０．１０２ｍｍを示し、本実施例の場合、厚さの偏差が０．０４９ｍｍを示している。
【００８５】
これによって、本発明の実施例では、分割板の構造、厚さ調節薄板の構造、固定ピンの構造およびガイド部材の構造により、単位セル１の固定および整列の度合いを向上させることによって、単位セル１の厚さの偏差が比較例に比べて５０％以上減少したことが分かる。
【００８６】
また、本発明の実施例では、単位セル１の固定および整列の度合いを向上させることによって、単位セル１の内部圧力を増加させ、流体の流れ性を均一にし、漏水の危険を減少させることができる。
【００８７】
したがって、本発明の実施例と前記のような比較例の充放電効率を評価してみると、本発明の実施例（表１参照）は、比較例（表２参照）に比べて電流効率、電圧効率およびエネルギー効率の面で、全体的なスタックの充放電効率が増加したことが分かる。
【００８８】
【表１】
0006293360.tif 000002
【００８９】
【表２】
0006293360.tif 000003
【００９０】
以上で本発明の実施例について説明したが、本発明の技術的な思想は、本明細書で提示される実施例に制限されず、本発明の技術的な思想を理解する当業者は同一の技術的な思想の範囲内で、構成要素の付加、変更、削除、追加などにより他の実施例を容易に提案することができ、これも本発明の権利範囲内に属する。      
【符号の説明】
【００９１】
１          ・・・  単位セル
３          ・・・  スタック
１０        ・・・  下部ダイ
１１、４１  ・・・  フレーム
１３、４３  ・・・  ベース
１５、４５  ・・・  分割板
１６、４６  ・・・  ナーリング部
１７、４７  ・・・  厚さ調節薄板
２０        ・・・  固定ピン
２１        ・・・  作動シリンダー
４０        ・・・  上部ダイ
６０        ・・・  ガイド部材
７０        ・・・  振動源
【図１】
0006293360.tif 000004
【図２】
0006293360.tif 000005
【図３】
0006293360.tif 000006
【図４】
0006293360.tif 000007
【図５】
0006293360.tif 000008